(57)【要約】【課題】電線を切断するに際して、通電状態にあるときに切断できず、通電状態にないときのみ切断できるようにした電線切断用鋏を提供する。【解決手段】本発明に係る電線切断用鋏は、一対の刃部と、前記一対の刃部を接離させる操作部と、前記刃部の刃先から相手方に向かって突出した状態と前記刃部の刃先から退避させる状態とに出退可能な一対の保護体であって、電線の外側から通電状態を検知するための検電部を少なくとも一方に有する一対の保護体と、前記検電部によって電線の通電状態が検知されたときに、前記保護体が前記刃部の刃先から突出している状態を維持するように前記保護体の移動を規制するロック機構とを備えることを特徴とする。【選択図】図１
2016152762.tif 000002
【特許請求の範囲】
【請求項１】
一対の刃部と、
前記一対の刃部を接離させる操作部と、
前記刃部の刃先から相手方に向かって突出した状態と前記刃部の刃先から退避させる状態とに出退可能な一対の保護体であって、電線の外側から通電状態を検知するための検電部を少なくとも一方に有する一対の保護体と、
前記検電部によって電線の通電状態が検知されたときに、前記保護体が前記刃部の刃先から突出している状態を維持するように前記保護体の移動を規制するロック機構とを備える
ことを特徴とする電線切断用鋏。
【請求項２】
前記保護体を前記刃部の刃先から突出させるように付勢する付勢手段を備える
請求項１に記載の電線切断用鋏。
【請求項３】
前記ロック機構は、
前後動するプランジャを有するソレノイドと、
前記プランジャに接続される係止部材であって、前記保護体に係脱する係止部材とを備える
請求項１又は２に記載の電線切断用鋏。
【請求項４】
電線の通電状態を報知する報知部を備える
請求項１から３のいずれか１項に記載の電線切断用鋏。
【発明の詳細な説明】
【技術分野】
【０００１】
本発明は、導線を被覆体によって覆った電線を切断するための電線切断用鋏に関する。
【背景技術】
【０００２】
導線を被覆体によって覆った電線を切断するに際して、通電状態にある電線を誤って切断することがないようにした電線切断用鋏が提案されている（例えば特許文献１）。この電線切断用鋏は、開閉する一対のレバーと、一方のレバーに取り付けられた刃部と、他方のレバーに取り付けられた受部と、刃部によって通電状態を検知する検知手段とを備えている。
【０００３】
検知手段は、刃部が被覆体を切り込み、導線に接触した状態で電線の通電状態を検知する。そして、この電線切断用鋏は、電線が通電状態であることを検知したときに、一対のレバーが閉じられず、電線の導線を切断しない機能を有している。
【０００４】
しかし、この電線切断用鋏は、刃部によって通電状態であることを検知し、電線の導線を切断しないとしても、刃部によって電線の被覆体をすでに傷付ける。さらに、刃部が被覆体だけでなく、導線まで切り込むと、導線が傷付けられる。逆に、刃部による被覆体への切込みが不十分で、被覆体に切り残された部分があると、刃部が導線に接触しないため、この電線切断用鋏は的確に通電状態を検知することができないものになる。
【先行技術文献】
【特許文献】
【０００５】
【特許文献１】特開平６−２６１９８５号公報
【発明の概要】
【発明が解決しようとする課題】
【０００６】
そこで、本発明は、電線を切断するに際して、通電状態にあるときに切断できず、通電状態にないときのみ切断できるようにした電線切断用鋏を提供することを課題とする。
【課題を解決するための手段】
【０００７】
本発明に係る電線切断用鋏は、一対の刃部と、前記一対の刃部を接離させる操作部と、前記刃部の刃先から相手方に向かって突出した状態と前記刃部の刃先から退避させる状態とに出退可能な一対の保護体であって、電線の外側から通電状態を検知するための検電部を少なくとも一方に有する一対の保護体と、前記検電部によって電線の通電状態が検知されたときに、前記保護体が前記刃部の刃先から突出している状態を維持するように保護体の移動を規制するロック機構とを備える。
【０００８】
この電線切断用鋏によれば、操作部によって一対の刃部が開いた状態から閉じた状態とされる。ただし、保護体が一対の刃部の刃先から突出した状態とされることにより、開いた状態の一対の刃部の間に入れられた電線は、保護体に接触するものの刃先に当たらない。
【０００９】
保護体が電線に接触ないし近接した状態において、保護体に備えられた検電部が電線の外側から電線の通電状態を検知する。電線が通電状態であると検知されたときは、ロック機構によって保護体が刃先から突出した状態を維持する（ロック状態）。したがって、操作部によって一対の刃部が閉じられようとしても、保護体が電線に接触し続け、刃部の刃先が電線に当たらないため、電線は刃部の刃先によって傷付けられない。
【００１０】
そして、検電部によって電線が通電状態にないと検知されたときは、ロック機構によるロック状態が解除され、保護体が移動して刃先から退避できる状態となる。したがって、操作部によって一対の刃部をさらに閉じようとすると、保護体が刃部の刃先から退避し、電線が刃部の刃先に当たって切断される。
【００１１】
本発明の一態様として、前記電線切断用鋏は、前記保護体を前記刃部の刃先から突出させるように付勢する付勢手段を備えていてもよい。保護体は、付勢手段によって通常時において刃部の刃先から突出した状態となり、ロック解除状態において電線に押し当てられることで、付勢手段の付勢力に抗して刃部の刃先から退避可能になる。
【００１２】
本発明の他態様として、前記ロック機構は、前後動するプランジャを有するソレノイドと、前記プランジャに接続される係止部材であって、前記保護体に係脱する係止部材とを備えていてもよい。ソレノイドのプランジャは、検電部が電線の通電状態を検知することで前後動し、これに伴ってプランジャに接続された係止部材が保護体に係脱する。
【００１３】
本発明のさらに異なる他態様として、前記電線切断用鋏は、電線の通電状態を報知する報知部を備えていてもよい。この電線切断用鋏は、電線の通電状態を報知部によって使用者に知らせる機能を備え、通電状態である場合において、一対の刃部をさらに閉じないように注意喚起することができる。
【発明の効果】
【００１４】
以上のように、本発明の電線切断用鋏によれば、電線を切断するに際して、通電状態にあるときに切断できず、通電状態にないときのみ切断できるようにすることができる。
【図面の簡単な説明】
【００１５】
【図１】図１は、本発明の一実施形態に係る電線切断用鋏の一例であって、電線の通電を検電している状態の電線切断用鋏を示し、図１（ａ）は正面図、図１（ｂ）は図１（ａ）のＩ−Ｉ線断面図である。
【図２】図２は、同実施形態に係る電線切断用鋏の一例であって、電線を切断する状態の電線切断用鋏を示し、図２（ａ）は正面図、図２（ｂ）は図２（ａ）のＩＩ−ＩＩ線断面図である。
【図３】図３は、同実施形態に係る電線切断用鋏の一例であって、電線を切断した後の状態の電線切断用鋏を示し、図３（ａ）は電線を切断した後の状態の正面図、図３（ｂ）は切断した電線を含む状態での側面図である。
【図４】図４は、同実施形態に係る電線切断用鋏の一例であって、ロック機構によって保護体がロックされている状態の電線切断用鋏を示す要部拡大断面正面図である。
【図５】図５は、同実施形態に係る電線切断用鋏の一例であって、ロック機構によって保護体がロックされていない状態の電線切断用鋏を示す要部拡大断面正面図である。
【図６】図６は、同実施形態に係る電線切断用鋏に備えられた回路構成図であって、電線に交流が流れる場合に使用する回路構成図である。
【図７】図７は、同実施形態に係る電線切断用鋏に備えられた回路構成図であって、電線に直流が流れる場合に使用する回路構成図である。
【図８】図８は、同実施形態に係る電線切断用鋏に備えられた回路構成図であって、電線に直流が流れる場合に使用する回路構成図である。
【発明を実施するための形態】
【００１６】
以下、本発明の一実施形態に係る電線切断用鋏について図１ないし図８を参照して説明する。
【００１７】
本実施形態に係る電線切断用鋏は、図１ないし図３に示すように、一対の刃部１０，１０と、一対の刃部１０，１０を接離させる操作部２０と、各刃部１０，１０の刃先１１から相手方に向かって突出した状態と刃部１０の刃先１１から退避させる状態とに出退可能な一対の保護体３０，３０であって、電線１００の外側から通電状態を検知するための検電部３４（図６及び図７参照）を少なくとも一方に有する一対の保護体３０，３０と、検電部３４によって電線１００の通電状態が検知されたときに、保護体３０が刃部１０の刃先１１から突出している状態を維持するように保護体３０の移動を規制するロック機構４０とを備えている。
【００１８】
なお、電線１００は、電流が流れる導線１０１を被覆体１０２で覆った構成となっている。
【００１９】
操作部２０は、指で摘まれる一対のハンドル２０ａ，２０ｂを備えている。各ハンドル２０ａ，２０ｂは、各刃部１０，１０に連続して形成されている。また、一対のハンドル２０ａ，２０ｂの刃部１０，１０側の端部同士が連結ピン２１によって連結されている。
【００２０】
保護体３０は、図４及び図５に示すように、一対の脚部３１，３１と、横架部３２とを一体成形した門形形状とされている。一対の脚部３１，３１は、刃先１１に対して交差する方向に向けられ、刃先１１の長さ方向に間隔をあけて配置されている。また、脚部３１には、部分的に凹ませた被係止部３３が形成されている。そして、横架部３２は、一対の脚部３１の先端に架け渡され、刃先１１と同一方向に向けられている。
【００２１】
また、各刃部１０，１０は、保護体３０の脚部３１が長さ方向に往復動する穴部１２と、横架部３２が嵌り込む溝部１３とを備えている。したがって、横架部３２は、溝部１３内から相手方に向かって刃先１１よりも突出した状態と、溝部１３内に嵌り込むことで刃先１１を露出させる状態とに出退する。
【００２２】
ただし、穴部１２の底側には、横架部３２を溝部１３から突出させるように付勢する圧縮バネなどの付勢部材（付勢手段）５０が備えられている。したがって、横架部３２は、通常の状態において付勢部材５０によって付勢されることで、溝部１３内から突出し、外力が加えられることで、溝部１３内に嵌り込む。なお、保護体３０の脚部３１は、抜止機構（図示せず）によって穴部１２から完全に抜き出ないようにされている。
【００２３】
そして、少なくともいずれか一方の保護体３０は、検電部３４を有している。検電部３４は、図６及び図７に示すように、検出回路６０に接続される。検出回路６０は、操作部２０に内蔵され、作業者Ｚを介してアースされる。
【００２４】
電線１００を流れている電流が交流の場合は、図６に示すように、検電部３４と検出回路６０とが直列に接続され、作業者Ｚを介してアースがとられる。電線１００を流れている電流が直流の場合は、図７に示すように、検電部３４と検出回路６０と直流検電端子６１とが直列に接続され、作業者Ｚを介してアースがとられる。
【００２５】
直流が流れている電線１００の通電状態を検知する検出回路６０は、さらに図８に示すように、電圧検出部６２とロック機構制御部６３と報知部制御部６４と報知部６５とを直列に接続した回路を備えている。また、報知部６５は、例えばブザーによって構成され、報知部制御部６４は、音声発生回路（図示せず）を備える。ただし、報知部６５は、パイロットランプなどによって構成してもよい。いずれにしても、検出回路６０には、電池などの直流電源６６が接続されている。
【００２６】
また、検電部３４と報知部６５とは、スイッチ６７を介して接続されている。スイッチ６７は、例えば操作部２０のいずれか一方のハンドル２０ａ，２０ｂの表面に露出したボタンスイッチとされる。スイッチ６７がＯＮされたときに、報知部６５が作動すると、検電部３４が正常であることを確認することができる。換言すれば、スイッチ６７がＯＮされたときに、報知部６５が作動しないと、検電部３４が故障していると判断することができる。
【００２７】
そして、ロック機構制御部６３は、ロック機構４０とも接続される。ロック機構４０は、図４及び図５に示すように、ソレノイド４１と係止部材４２とを備えている。ソレノイド４１は、ロック機構制御部６３からの信号によって前後動するプランジャ４１ａを備えている。係止部材４２は、保護体３０の脚部３１に形成された被係止部３３に係脱する軸状とされ、プランジャ４１ａに接続されている。
【００２８】
したがって、プランジャ４１ａが前後動することで、係止部材４２が刃部１０に形成された穴部１２内に出退する。係止部材４２は、穴部１２内に突出することで、保護体３０の被係止部３３に係合し、保護体３０の横架部３２が溝内に退入できず、刃先１１から突出した状態を維持する。逆に、係止部材４２は、穴部１２内から退出することで、保護体３０の被係止部３３に係合しなくなる。そうすると、保護体３０の横架部３２は、溝部１３内に嵌り込み、刃先１１を露出した状態とする。
【００２９】
本実施形態の電線切断用鋏は、以上のように構成される。次に、この電線切断用鋏の使用方法について説明する。
【００３０】
電線切断用鋏は、通常、保護体３０が付勢部材５０に付勢されることで刃先１１から相手方に向かって突出している。この状態で一対の刃部１０，１０の間に電線１００を入れた状態とし、図１に示すように、操作部２０によって一対の刃部１０，１０を閉じる操作をする。
【００３１】
このとき、保護体３０が刃部１０の刃先１１から突出していることから、刃先１１が電線１００の被覆体１０２に食い込むことなく、保護体３０が電線１００の被覆体１０２に接触した状態を維持する。この状態又は保護体３０が電線１００の被覆体１０２に近接した状態において、電線１００が通電している状態であるかどうかが保護体３０の検電部３４によって検知される。
【００３２】
通電状態であると検知されると、ロック機構４０によって保護体３０の移動が規制される。すなわち、図４に示すように、ソレノイド４１のプランジャ４１ａが前進し又はすでに前進していた状態を維持し、係止部材４２が刃部１０の穴部１２内に突出し、穴部１２内に挿入された脚部３１の被係止部３３に係止した状態となる（ロック状態）。したがって、この保護体３０の横架部３２は、電線１００に押し当てられても、溝部１３内に嵌め込まれることなく、刃部１０の刃先１１から突出した状態を維持する。
【００３３】
これにより、一対の刃部１０，１０がさらに閉じられようとしても、保護体３０が電線１００の被覆体１０２に接触した状態を維持するため、刃部１０が電線１００の被覆体１０２を切り込むことがない。
【００３４】
これに対し、通電状態でないと検知されると、図５に示すように、ソレノイド４１のプランジャ４１ａが後退し、これに連動する係止部材４２は、刃部１０の穴部１２から退出し、穴部１２内に挿入された脚部３１の被係止部３３から外れた状態となる（ロック解除状態）。
【００３５】
したがって、一対の刃部１０，１０がさらに閉じられると、図５に示すように、保護体３０が溝部１３内に嵌り込む。このときの刃先１１は、露出した状態となり、図２に示すように、電線１００の被覆体１０２に接触する。さらに、一対の刃部１０，１０が閉じられると、一対の刃先１１，１１が被覆体１０２を切り込み、続けて導線１０１を切断することで、図３に示すように、電線１００が切断される。
【００３６】
以上のように、本実施形態の電線切断用鋏は、電線１００が通電しているときに、被覆体１０２を傷付けることなく、電線１００が切断されず、電線１００が通電していないときに、電線１００を切断することができる。
【００３７】
なお、本発明に係る電線切断用鋏は、上記実施形態に限定されるものではなく、本発明の要旨を逸脱しない範囲で種々の変更が可能である。
【００３８】
例えば、上記実施形態において、保護体３０は、門形の形状でなく、板状の形状であってもよい。
【００３９】
また、上記実施形態において、電線１００を切断するに際して、刃部１０を閉じてからロック機構４０を作動させるのではなく、常時、ロック状態としておき、刃部１０を閉じた状態で、検電し、通電していないときのみ、ロック解除状態とするようにしてもよい。
【符号の説明】
【００４０】
１０…刃部、１１…刃先、１２…穴部、１３…溝部、２０…操作部、２０ａ，２０ｂ…ハンドル、２１…連結ピン、３０…保護体、３１…脚部、３２…横架部、３３…被係止部、３４…検電部、４０…ロック機構、４１…ソレノイド、４１ａ…プランジャ、４２…係止部材、５０…付勢部材、６０…検出回路、６１…直流検電端子、６２…電圧検出部、６３…ロック機構制御部、６４…報知部制御部、６５…報知部、６６…直流電源、６７…スイッチ、１００…電線、１０１…導線、１０２…被覆体、
【図１】
2016152762.tif 000003
【図２】
2016152762.tif 000004
【図３】
2016152762.tif 000005
【図４】
2016152762.tif 000006
【図５】
2016152762.tif 000007
【図６】
2016152762.tif 000008
【図７】
2016152762.tif 000009
【図８】
2016152762.tif 000010